(57)【要約】      （修正有）【課題】練習と試合の際のデータに互換性がない事に着目し、互換性を持たせる事によって、試合の際においても仮想ではあるが身体データを作り出す手法を提供する。【解決手段】運動選手が装着した身体センサー等によるデータ蓄積から同条件の近似値を用い仮想データを構築する。【選択図】なし【特許請求の範囲】
【請求項１】
練習の際、運動選手に装着された身体センサーによる情報を２．５ＧＨｚの電波を用いる短距離通信により９２０ＭＨｚの電波を用いて長距離通信可能な通信機に送信され、更に、それらの情報をパーソナルコンピュータに送信され運動選手の実測情報を蓄積する事によっての個人等のデータを解析し、パーソナルコンピュータ或いはサーバ上に集約する事を特徴とする仮想データ構築システム。
【請求項２】
運動選手の試合中の画像情報を解析する事により得られた２次元或いは３次元データを用いて、運動選手の移動距離・速度等を割り出し、得られた情報を蓄積する事によって個人等のデータをパーソナルコンピュータ或いはサーバ上に蓄積する事を特徴とする請求項１の仮想データ構築システム。
【請求項３】
運動選手の身体センサーによる請求項１の情報を用いる事によって請求項２の画像情報の条件下で、蓄積されたデータから近似的な情報を呼び出すことの出来る仮想データ構築システム。
【請求項４】
身体センサーによる解析データと画像情報による解析データに互換性を持たせた請求項３の仮想データ構築システム。
【請求項５】
運動選手は試合中には身体センサーを装着する必要のない請求項３の仮想データ構築システム。
【請求項６】
運動選手の位置測定に衛星測位システムを用いずに、加速度センサーを用いる事で位置を測定する請求項１の仮想データシステム。
【発明の詳細な説明】
【技術分野】
【０００１】本発明は、運動選手が試合の際に身体センサー等を装着する事なく、身体データ収集を可能とする技術である。
【背景技術】
【０００２】従来の技術としては練習の際に用いられているセンサー装着型のものが多くみられ、試合の際は競技場に設置されたビデオカメラによって画像データを収集し、それを後日に解析する事によりデータ化するものもみられた。【０００３】試合の際にはほとんどの競技においては、ルール及び安全上決められたもの以外は身につけることが出来ず、エキサイトする場合は身体の接触も多くセンサーの破損や身体を傷つける可能性も考えられる。そのため、試合の際は画像による認識が主流となり、身体データの収集は出来なかった。
【参考文献】
【０００４】
【参考文献１】
特許第５９５１２１２号
【参考文献２】
特許第５０５１７６７号
【参考文献３】
特開２０１４−５０４５１
【発明の開示】
【発明が解決しようとする課題】
【０００５】本発明は、練習と試合の際のデータに互換性がない事に着目し、互換性を持たせる事によって、試合の際においても仮想ではあるが身体データを作り出すことを課題とした。
【課題を解決するための手段】
【０００６】本発明は、練習において運動選手に心拍数等を収集する為の身体センサーと３軸加速度センサー、２．５ＧＨｚの短距離通信機を一体とし、それを運動選手の心拍が認識できる胸の部分に装着し、背中部分に短距離通信を受信でき長距離通信が可能である通信機を装着する。長距離通信機は９２０ＭＨｚの電波を用いる事により、１ｋｍ以上の通信が可能となる。運動選手から送られた情報はパーソナルコンピュータの端末に取り付けられた受信機を用い、データ解析ソフトで解析される。これによって蓄えられたデータは試合の際に収集されるデータ解析の際、利用できる。【０００７】運動選手の試合中の移動距離・移動速度・位置を特定するには衛星測位システム（以下「ＧＰＳ」という）の機能を用いずに、３軸加速度センサーの情報により、これらを特定するようにした。ＧＰＳを用いた場合、天候に左右されたり、屋内での使用においては正確さにかける面があるので３軸加速度センサーを用いる事とした。【０００８】本発明においては、直接心拍を測定する方法を用いている為に心拍波形を表す事ができる。これによって、ストレス指数としてのＨＦ（高周波）ＬＦ（低周波）を読み取る事ができ、パワースペクトル密度を算出する事ができる。運動選手のストレスの度合を数値化することを可能とした。【０００９】本発明は３台以上のデジタルビデオカメラを用いる事により、試合の画像を収集する。試合の行われる競技場に試合に用いるフィールドも全面映し出せるように３台のデジタルビデオカメラを配置する。３台のデジタルビデオカメラから収集された情報は各々のデジタルビデオカメラの情報を補う事により、一つのデータとして解析を行う。この場合、時間の経過を１つの要素とし、二次元或いは三次元空間上での移動距離を要素として運動選手の移動速度を算出する。算出されたデータを運動選手個人のデータとして保存される。【００１０】練習によって蓄積されたデータから試合の際、運動選手の運動量（移動距離等）から仮想データとしての心拍数の変化を作り出し、それを用いて運動選手の疲労度合を算出する。
本発明は多くの競技に用いられる。例えば、サッカー・野球・バスケット・テニス・ラグビー・卓球等の球技、体操、水泳、陸上等の競技にも利用範囲は拡大できる。
【背景技術】
【００１１】従来の技術としてサッカー等の球技においては、センサー装着型と画像認識型がある。センサー装着するものについては、同様に二つの機器に分けられている。胸に装着する部分はＬＥＤライトを照射することにより赤血球中のヘモグロビンの変化によって間接的に心拍を測定するものである。また、運動選手の位置測定はＧＰＳによるものである。ＬＥＤライトによるものは簡易のものであり、正確性に欠くといえる。また、ＧＰＳにおいても屋内競技には不向きで、屋外においても天候に左右されやすい。
画像認識型についてはデータ解析が複雑であり、専門の技術者でないと解析作業が出来ない。また、長時間の作業が必要であり大きな難点がある。【００１２】参考文献１は主に近距離通信を用いたものであり、運動競技には不向きである。
参考文献２は主に体温管理を行い、やはり近距離通信を用いるものである。
参考文献３は腕に装着する事で、ＬＥＤによる赤血球内のヘモグロビンの変化による測定方法を用いている。【００１３】従来の技術としては、センサーはセンサー測定、画像認識は画像認識という分けた考え方しかなく両者に互換性を持たして相互の情報によって、同様な場合においても対応できるシステムというものはなかった。本発明は両者の組み合わせというだけでなく、仮想データを構築する事により広く運動競技に特化した新たなシステムを作り出した。
【発明を実施するための最良の形態】
【００１４】１チーム１１人で行うサッカーを例示する。練習の際、競技に参加する選手１１人に身体センサーを装着する。その場合、ニット生地で作ったインナーウエアを用い、センサー及び通信機を装着する。【００１５】センサーの情報は通信機を経由してパーソナルパソコンに送信される。送信された情報は解析ソフトを用い、選手ごとにデータ化される。選手に装着された通信機には固有のアドレスが設定されている。通信は９２０ＭＨｚの波長でパーソナルパソコンに送られる。解析されたデータはパーソナルパソコンに保存される。更にデータはインターネット回線を用いサーバに送ることも出来、ビッグデータとすることも出来る。【００１６】上記サッカー選手１１人を試合に参加させ、試合の模様を３台のデジタルビデオカメラで撮影録画し、試合終了後３台のデジタルビデオカメラの情報を用いデータ化する。試合の場合はセンサーの装着がなく、心拍情報等を収集する事が出来ないために練習で蓄積したデータより仮想データを構築する。
【産業上の利用可能性】
【００１７】本発明は、運動選手の疲労による骨折等を防ぐ事ができ、選手として活動できる期間を長くさせる事ができる。また選手が弱点とする部分を強化する事で、優れた運動選手を育成する事が出来る。
【図面の簡単な説明】
【００１８】
【図１】は本発明のサッカーに用いた場合の構成図である。身体センサー・加速度センサー・短距離通信機（Ａ）から２．５ＧＨｚの電波で長距離通信機（Ｂ）送信される。（Ｂ）からは９２０ＭＨｚの電波を用いパーソナルコンピュータ（Ｃ）に送られる。デジタルビデオカメラ（Ｄ）で録画された情報は（Ｃ）で解析され、両者の情報は互換性を持たせる事で、試合の際に仮想データを構築する。
【図２】は試合の際用いられるサッカーコートである○はセンサーを装着した選手で矢印の方向に移動した事を示す。矢印の長さは移動距離を示す。矢印の長さを測ることで時間当たりの移動距離が算出される。更に時間との関係により速度も算出できる。
【符号の説明】
【００１９】（Ａ）は身体センサー・３軸加速度センサーを搭載した短距離通信機である。
（Ｂ）は長距離通信機である。
（Ｃ）はパーソナルコンピュータである。
（Ｄ）はデジタルビデオカメラである。
（○）はサンサーを装着した選手である。
（→）は選手の移動方向であり、矢印の長さは移動距離を示す。
【図１】
2018020039.tif 000002
【図２】
2018020039.tif 000003